【手続補正書】
【提出日】平成19年4月16日(2007.4.16)
【手続補正１】
【補正対象書類名】明細書
【補正対象項目名】特許請求の範囲
【補正方法】変更
【補正の内容】
【特許請求の範囲】
【請求項１】  少なくとも１つのクラスタキーを備え、該クラスタキーは、
１つの一次キーと、
前記クラスタキーの前記一次キーの直ぐ隣に配置された少なくとも１つの二次キーと、
相互に排他的な方法で、前記一次キーまたは前記二次キーを選択する相互に排他的な選択手段とからなり、
前記一次および二次キーの各々は、個々に動作可能であり、
動作時の前記一次キーおよび前記二次キーの各々は、動作時の他の前記一次および前記二次キーの動作と実質的に平行な方向に移動することを特徴とするクラスタキー配列。
【請求項２】  前記一次および二次キーの各々は平面状の表面に配列され、
動作時の前記一次および二次キーの各々が、前記平面状の表面に対して、垂直方向に移動することを特徴とする請求項１記載のクラスタキー配列。
【請求項３】  前記一次キーおよび前記二次キーの各々は円弧形状をなすボタンの輪郭を有し、該円弧形状は、ドーム状、凸状、トラフ状、および凹状からなる群から選ばれることを特徴とする請求項１記載のクラスタキー配列。
【請求項４】  前記一次キーの形状は、上方から見た場合、円形、楕円形、五角形、六角形、七角形、または八角形であることを特徴とする請求項１記載のクラスタキー配列。
【請求項５】  クラスタキーの数が１２個であり、
前記１２個のキーは横４列×縦３列の配列に構成され、
各クラスタキーは少なくとも４個の二次キーを含み、
前記各一次キーは一次キーのラベルを有し、各一次キーのラベルは、数字、アスタリスク記号、およびポンド記号からなる群から選ばれる少なくとも１つの一次キー記号を含み、
前記各二次キーは二次キーのラベルを有し、各二次キーのラベルは、アルファベット文字および機能表示からなる群から選ばれる少なくとも１つの二次キー記号を含むことを特徴とする請求項１記載のクラスタキー配列。
【請求項６】  前記数字は０から９までの１０個の数字からなる群から選ばれ、前記アルファベット文字は、ＡからＺまでの２６個の文字からなる群から選ばれることを特徴とする請求項５記載のクラスタキー配列。
【請求項７】  前記クラスタキーの数が少なくとも２個であり、
前記各一次キーは一次キーのラベルを有し、各一次キーのラベルは、数字、アスタリスク記号、およびポンド記号からなる群から選ばれる少なくとも１つの一次キー記号を含み、
前記各二次キーは二次キーのラベルを有し、各二次キーのラベルは、アルファベット文字、および機能表示からなる群から選ばれる少なくとも１つの二次キー記号を含むことを特徴とする請求項１記載のクラスタキー配列。
【請求項８】  前記各クラスタキーは、前記クラスタキーにおける他のいずれのキーからもギャップによって離間されていることを特徴とする請求項１記載のクラスタキー配列。
【請求項９】  前記一次キーおよび前記二次キーの各々は、上面およびこれと相対する裏面を含み、
前記各上面は第一の部分を含み、
前記各裏面は第二の部分および第三の部分を含み、
前記各キーの前記第三の部分は前記キーの上面に関して位置し、ユーザが前記キーの上面に圧力を加えたとき、前記キーが前記第三の部分を介して動作され、
前記各キーの前記第二の部分は、相互に排他的なアクチュエータを介して、前記キーの少なくとも１つの隣接するキーの前記第二の部分に連結されて、ユーザが前記キーの１つを押圧したとき、該押圧された１つの前記キーの前記第二の部分は、前記隣接するキーの前記第二の部分と協働して、前記隣接したキーが動作するのを防止することを特徴とする請求項１記載のクラスタキー配列。
【請求項１０】  前記相互に排他的な選択手段は、圧力差を利用して、前記一次キーおよび前記二次キーから選択することを特徴とする請求項１記載のクラスタキー配列。
【請求項１１】  前記相互に排他的な選択手段は、シャドーイングの差を利用して、前記一次キーおよび前記二次キーから選択することを特徴とする請求項１記載のクラスタキー配列。
【請求項１２】  前記少なくとも１つの各クラスタキーにおける前記二次キーの数が、少なくとも４個であることを特徴とする請求項１記載のクラスタキー配列。
【請求項１３】  前記二次キーの表面積が、前記一次キーより小さいことを特徴とする請求項１記載のクラスタキー配列。
【請求項１４】  前記各クラスタキーにおける前記二次キーの数が少なくとも２個であり、前記相互に排他的な選択手段が、相互に排他的な方法で、前記各クラスタキーの前記各二次キーから選択することを特徴とする請求項１記載のクラスタキー配列。
【請求項１５】  前記一次キーは該キーに接続する１本の導電路を含み、前記一次キーに接続する前記導電路は通常開成しており、
前記二次キーは該キーに接続する１本の導電路を含み、前記二次キーに接続する前記導電路は通常開成しており、
前記一次キーが選択されると、前記一次キーに接続する前記導電路は閉成し、前記二次キーが選択されると、前記二次キーに接続する前記導電路は閉成することを特徴とする請求項１記載のクラスタキー配列。
【請求項１６】  電話機、遠隔制御器、コンピュータ、およびパーソナル・デジタル・アシスタントからなる群から選ばれる電子装置と組み合わされ、
少なくとも１つのクラスタキーからなり、該クラスタキーは、
１つの一次キーと、
前記クラスタキーの前記一次キーの直ぐ隣に配置された少なくとも１つの二次キーと、
相互に排他的な方法で、前記一次キーまたは前記二次キーを選択する相互に排他的な選択手段とからなり、
前記一次および二次キーの各々は、個々に動作可能であり、
クラスタキーの数が１２個であり、
前記電子装置の機能が、前記クラスタキーの前記一次および二次キーによって制御され、
前記組合せは、前記１２個のクラスタキーの前記一次および二次キー以外のキーを含まないことを特徴とする電子装置と組み合わされたクラスタキー配列。
【請求項１７】  前記ハウジングが液晶ディスプレイを含み、
少なくとも２つの前記二次キーが矢印キーであることを特徴とする請求項１６記載のクラスタキー配列。
【請求項１８】  少なくとも１つの前記二次キーがモードキーであることを特徴とする請求項１６記載のクラスタキー配列。
【請求項１９】  第一のクラスタキーと第二のクラスタキーとからなり、該各クラスタキーは、
中央に位置する一次キーと、
各キーが、前記クラスタキーの前記一次キーの直ぐ隣にかつその周辺に配置された少なくとも２つの二次キーと、
前記第一のクラスタキーおよび前記第二のクラスタキーに連結され、前記一次キーおよび少なくとも１つの前記二次キーから、ユーザが相互に排他的に選択できるプレプロセッサとからなり、
前記一次および二次キーの各々は、個々に動作可能であることを特徴とするクラスタキーボード。
【請求項２０】  前記各一次キーは五角形をなし、各クラスタキーにおける二次キーの数が５個であり、該５個の二次キーは、前記一次キーにおける５つの側面の周辺に分布されることを特徴とする請求項１９記載のクラスタキーボード。
【請求項２１】  さらに、一体化された圧力感知素子からなることを特徴とする請求項１９記載のクラスタキーボード。
【請求項２２】  さらに、２つの導電性透明被膜を有するピン接合アモルファスシリコン太陽電池からなることを特徴とする請求項１９記載のクラスタキーボード。
【請求項２３】  さらに、導電性のグリッドからなることを特徴とする請求項１９記載のクラスタキーボード。
【請求項２４】  さらに、機械的なクラスタキー構成からなることを特徴とする請求項１９記載のクラスタキーボード。
【請求項２５】  前記プレプロセッサが、圧力差を利用して、前記一次キーの１つまたは前記一次および二次キーの１つに隣接する前記二次キーの１つを選択する電子装置からなることを特徴とする請求項１９記載のクラスタキーボード。
【請求項２６】  前記クラスタキー配列が、タッチスクリーン液晶ディスプレイの形態で、電子的に構成されることを特徴とする請求項１９記載のクラスタキーボード。
【請求項２７】  前記タッチスクリーン液晶ディスプレイが、アクティブなマトリックス薄膜トランジスタ・ディスプレイであることを特徴とする請求項２６記載のクラスタキーボード。
【請求項２８】  さらに、ｐ型半導体の層とｎ型半導体の層との間に配置されたｉ型半導体の層からなることを特徴とする請求項２７記載のクラスタキーボード。
【請求項２９】  さらに、酸化錫またはインジウム・錫酸化物の２つの導電性透明被膜からなり、この２層に形成された層を直列に接続して細流充電することが可能であることを特徴とする請求項２８記載のクラスタキーボード。
【請求項３０】  少なくとも１つのクラスタキーからなり、該クラスタキーは、
１つの一次キーと、
前記クラスタキーの前記一次キーの直ぐ隣に配置された少なくとも１つの二次キーと、
相互に排他的な方法で、前記一次キーまたは前記二次キーを選択する電子選択器とからなり、
前記一次および二次キーの各々は、個々に動作可能であり、
動作時の前記一次キーおよび前記二次キーの各々は、動作時の他の前記一次キーおよび前記二次キーの動作と実質的に平行な方向に移動し、
前記クラスタキーの数が少なくとも２個であり、
前記各一次キーは一次キーのラベルを有し、各一次キーのラベルは、数字、アスタリスク記号、およびポンド記号からなる群から選ばれる少なくとも１つの一次キー記号を含み、
前記各二次キーは二次キーのラベルを有し、各二次キーのラベルは、アルファベット文字、および機能表示からなる群から選ばれる少なくとも１つの二次キー記号を含むことを特徴とするクラスタキー配列。
【請求項３１】  少なくとも１つのクラスタキーからなり、該クラスタキーは、
１つの一次キーと、
前記クラスタキーの前記一次キーの直ぐ隣に配置された少なくとも１つの二次キーと、
相互に排他的な方法で、前記一次キーまたは前記二次キーを選択する相互に排他的なアクチュエータとからなり、
前記一次および二次キーの各々は、個々に動作可能であり、
動作時の前記一次キーおよび前記二次キーの各々が、動作時の他の前記一次キーおよび前記二次キーの動作と実質的に平行な方向に移動することを特徴とするクラスタキー配列。
【請求項３２】  少なくとも１つのクラスタキーからなり、該クラスタキーは、
一次キーと、該一次キーはこれを支持する第一の支持構造を有し、
少なくとも２つの二次キーと、該各二次キーは、前記クラスタキーの前記一次キーの直ぐ隣にかつその周辺に配置されると共に、二次キーを支持する第二の支持構造を有し、
前記一次キーの前記第一の支持構造と１つの前記二次キーの前記第二の支持構造とに接続され、ユーザが、相互に排他的に、前記一次キーおよび１つの前記二次キーから選択できる相互に排他的なアクチュエータとからなり、
前記一次および二次キーの各々は、個々に動作可能であることを特徴とするクラスタキーボード。
【請求項３３】  ２個以上のキーが指先の幅の範囲内に配置されたキーボードを用いるデータ入力方法において、
各クラスタキーが少なくとも３個のキーからなる第一のクラスタキーおよび第二のクラスタキーからなるクラスタキーボードを提供する工程と、
各クラスタキーの前記キーの１つは一次キーであり、
各クラスタキーの前記キーの少なくとも２つは二次キーであり、該各二次キーは、前記クラスタキーの前記一次キーの直ぐ隣にかつその周辺に配置され、
２個の前記キーから同時に入力信号を受信する工程と、
所定の一組の論理規則に従って前記入力信号を処理して、クラスタキーボードが、１個の前記キーのみから前記入力信号を認識する工程とからなり、
圧力差を利用して前記キーの１つを選択すること、およびシャドーイングの差を利用して前記キーの１つを選択することから、前記一組の論理規則が選択され、
前記一組の論理規則は、複数の知覚閾値を含むことを特徴とするデータ入力方法。
【請求項３４】  前記一組の論理規則は、圧力差を利用して前記キーの１つを選択することを特徴とする請求項３３記載のデータ入力方法。
【請求項３５】  前記一組の論理規則は、シャドーイングの差を利用して前記キーの１つを選択することを特徴とする請求項３３記載のデータ入力方法。
【請求項３６】  ２個以上のキーが指先の幅の範囲内に配置されたキーボードを用いるデータ入力方法において、
各クラスタキーが少なくとも３個のキーからなる第一のクラスタキーおよび第二のクラスタキーからなるクラスタキーボードを提供する工程と、
各クラスタキーの前記キーの１つは一次キーであり、
各クラスタキーの前記キーの少なくとも２つは二次キーであり、該各二次キーは、前記クラスタキーの前記一次キーの直ぐ隣にかつその周辺に配置され、
２個の前記キーを同時に動作することによって、相互に排他的なアクチュエータを動作させる工程とからなり、相互に排他的なアクチュエータは、前記同時に動作される２個のキーを相互に接続し、前記同時に動作される２個のキーの１つからの入力を排除するように動作することを特徴とするデータ入力方法。
【請求項３７】  一連の単一の文字として、一度に一つの文字のデータを入力するデータ入力方法において、
２個以上のキーが指先の幅の範囲内に配置されたキーボードであって、第1のクラスタキーと少なくとも1個の第２のクラスタキーとを備え、各クラスタキーが少なくとも２個のキーを備え、各クラスタキーの前記キーの１つは一次キーであり、各クラスタキーの前記キーの少なくとも１つは二次キーであり、前記二次キーは前記クラスタキーの前記一次キーの直ぐ隣にかつその周辺に配置されたキーボードを提供する工程と、
キーを押すことによって閉成し、キーの押圧が解除されることによって開成する、各キーに接続する１本の導電路を通して前記キーから入力信号を受信する工程と、
前記キーの少なくとも２つから時間的に互いに近く受信される入力信号を受信する工程と、
前記キーボードが前記一次キーと前記二次キーのうちの１つのみの入力信号を認識するように所定の組の論理規則に従って前記入力信号処理する工程とからなり、
前記論理規則は最初に到達する信号の信号源となっているキーの探知と認識を要求し、かつ前記論理規則はキーボード上のキーからのすべての信号が排除されるまで最初の信号の到達後に到達する信号を処理しないように要求し、かくして、すべてのキー信号の排除により１つの文字のデータ入力サイクルが終了し、キーボードが新しい文字の受信と処理をすることを特徴とするデータ入力方法。
【請求項３８】  前記クラスタキー配列が容量素子の配列として電子的に構成されることを特徴とする請求項１９項記載のクラスタキー配列。
【請求項３９】  二次キーの少なくとも１つが、少なくとも１つの一次キー上の少なくとも１つのラベルを選択し表示するモードキーであることを特徴とする請求項３０記載のクラスタキー配列。
【請求項４０】  二次キーの少なくとも１つが、少なくとも１つの二次キー上の少なくとも１つのラベルを選択し表示するモードキーであることを特徴とする請求項３０記載のクラスタキー配列。